(57)【要約】      （修正有）【課題】衣服や人体に蓄積した静電気を、接地面に逃がすことができる靴下を提供する。【解決手段】足指を被覆する足指部１０、足指から足首に至る部分を被覆する足部２０、踵を被覆する踵部３０、及び、足首から上の部分を被覆する脚部４０が接続されている靴下１において、足指部、足部、及び踵部において足裏に当接する足裏部の少なくとも一部を、導電性繊維を使用して織編されている導電性織編地で形成する。母趾球から小趾球に至る部分を被覆する帯状の前帯部２５が、導電性織編地で形成されているのが好ましい。【選択図】図６
0003220157.tif 000002
【実用新案登録請求の範囲】
【請求項１】
足指を被覆する足指部、足指から足首に至る部分を被覆する足部、踵を被覆する踵部、及び、足首から上の部分を被覆する脚部が接続されている靴下であって、
前記足指部、前記足部、及び前記踵部において足裏に当接する足裏部の少なくとも一部が、導電性繊維を使用して織編されている導電性織編地で形成されている
ことを特徴とする靴下。
【請求項２】
前記踵部が、前記導電性織編地で形成されている
ことを特徴とする請求項１に記載の靴下。
【請求項３】
母趾球から小趾球に至る部分を被覆する帯状の前帯部が、前記導電性織編地で形成されている
ことを特徴とする請求項１または請求項２に記載の靴下。
【考案の詳細な説明】
【技術分野】
【０００１】
本考案は、靴下に関するものである。
【背景技術】
【０００２】
人が身に付けている物と異なる物質との間での摩擦や剥離に起因して静電気が発生し、蓄積すると、衣服が身体にまとわりついたり、導体に接したときの放電によって電撃を感じたり、衣服に埃が吸着したりなど、不快である。また、半導体の製造工場、精密電子部品の製造工場、医薬品の製造工場など、埃や塵の存在が厳しく制限される場所や、放電時のスパークによって火災が発生するおそれがある化学工場などでは、このような静電気による帯電を防止することが非常に重要である。
【０００３】
静電気による帯電を防止する手段としては、衣服を構成する繊維に水分の保持を高める制電処理を施し、水分を介して電気を空気中に拡散させるものと、衣服を導電性繊維で形成し、電気を大地へ逃がすものとに大別される。後者については、上記のように静電気による帯電を防止する必要性が高い現場で作業する人が着用する作業服について、規格も設けられている（ＪＩＳ  Ｔ８１１８）。
【０００４】
これら二つの手段のうち、人体及び衣服に蓄積した静電気を大地に逃がす後者の手段の方が、より効率的である。上記の規格では、ジャンパーやズボンからなる作業服を、導電性繊維を混入した織編物（帯電防止織編物）で形成した場合に許容される帯電電荷量や、その試験方法を規定しているが、静電気による帯電の防止のためには、作業服が規格を満たした上で、“履物や床の導電化が不可欠”であるとしている。しかしながら、多くの人は靴下を履いているため、衣服に加えて履物と床とを導電化したとしても、電気の移動を「靴下」が妨げてしまうおそれがある。
【考案の概要】
【考案が解決しようとする課題】
【０００５】
そこで、本考案は、上記の実情に鑑み、衣服や人体に蓄積した静電気を、接地面に逃がすことができる靴下の提供を、課題とする。
【課題を解決するための手段】
【０００６】
上記課題を解決するため、本考案にかかる靴下は、
「足指を被覆する足指部、足指から足首に至る部分を被覆する足部、踵を被覆する踵部、及び、足首から上の部分を被覆する脚部が接続されている靴下であって、
前記足指部、前記足部、及び前記踵部において足裏に当接する足裏部の少なくとも一部が、導電性繊維を使用して織編されている導電性織編地で形成されている」ものである。
【０００７】
ここで、導電性の履物のソール部分、導電性の床、大地など、靴下を履いた人が立脚している面を「接地面」と称すると、足裏は、人が歩行する際や立ち姿勢を取る際に、常に接地面と接触している部分である。本考案の靴下では、常に接地面に接触する足裏を被覆している足裏部の少なくとも一部が、導電性織編地で形成されている。そのため、衣服や人体に蓄積した静電気を、足を介して効率よく接地面に逃がすことができる。
【０００８】
本考案にかかる靴下は、上記構成に加え、
「前記踵部が、前記導電性織編地で形成されている」ものとすることができる。
【０００９】
踵は、人が歩行するときに最初に着地する部分であり、着地の際に荷重がかかることにより、しっかりと接地面と接触する。従って、靴下において踵を被覆している踵部が導電性織編地で形成されていることにより、衣服や人体に蓄積した静電気を、足を介して確実に接地面に逃がすことができる。
【００１０】
本考案にかかる靴下は、上記構成に加え、
「母趾球から小趾球に至る部分を被覆する帯状の前帯部が、前記導電性織編地で形成されている」ものとすることができる。
【００１１】
母趾球は足の第一指の付け根の膨らんだ部分であり、小趾球は足の第五指の付け根の膨らんだ部分である。つまり、母趾球から小趾球に至る部分は、各足指の付け根部分をつないだ部分である。この部分は、人が歩行するときに“蹴り出す”ように離地する部分であり、離地の際に荷重がかかることにより、しっかりと接地面と接触する。従って、靴下において母趾球から小趾球に至る部分を被覆する帯状の部分である前帯部が、導電性織編地で形成されていることにより、衣服や人体に蓄積した静電気を、足を介して確実に接地面に逃がすことができる。
【考案の効果】
【００１２】
以上のように、本考案によれば、衣服や人体に蓄積した静電気を、接地面に逃がすことができる靴下を、提供することができる。
【図面の簡単な説明】
【００１３】
【図１】靴下の部位の説明するための（ａ）側面図、及び（ｂ）底面側から見た斜視図である。
【図２】足指部、足部及び踵部における足裏部が導電性織編地で形成されている靴下を底面側から見た斜視図である。
【図３】踵部が導電性織編地で形成されている靴下の側面図である。
【図４】前帯部が導電性織編地で形成されている靴下の（ａ）側面図、及び（ｂ）底面側から見た斜視図である。
【図５】第一指部が導電性織編地で形成されている靴下の（ａ）底面図、及び（ｂ）平面図である。
【図６】（ａ）踵部及び前帯部が導電性織編地で形成されている靴下の側面図であり、（ｂ）踵部及び第一指部が導電性織編地で形成されている靴下を底面側から見た斜視図であり、（ｃ）踵部、前帯部、及び第一指部が導電性織編地で形成されている靴下を底面側から見た斜視図である。
【考案を実施するための形態】
【００１４】
以下、本考案の具体的な実施形態の靴下１について、図１乃至図６を用いて説明する。靴下１は、図１（ａ），（ｂ）に示すように、基本的構成として、足指を被覆する足指部１０、足指から足首に至る部分を被覆する足部２０、踵を被覆する踵部３０、足首から上の部分を被覆する脚部４０を備えている。
【００１５】
靴下１は、上記の基本的構成に加えて、導電性繊維を使用して織編されている導電性織編地で形成された部分を備えている。靴下１は、その全体が導電性織編地で形成されているものとすることができる。
【００１６】
或いは、靴下１の一部が導電性織編地で形成されているものとすることができる。その場合は、足指部１０、足部２０、及び踵部３０において足裏に当接する足裏部ＳＬの少なくとも一部を、導電性織編地で形成する。
【００１７】
ここで、導電性繊維としては、金属の細線やカーボンファイバーなど導電性の繊維を他の繊維と撚り合わせた繊維、メッキや蒸着により金属でコーティングされた繊維、芯糸に鞘糸が巻き付けられたカバーリングヤーンであって、金属、カーボン、導電性セラミックスなどの導電性粒子を芯糸に配合した繊維、アクリル系繊維やポリアミド系繊維等に硫化銅を化学結合させた繊維、を例示することができる。
【００１８】
導電性繊維を使用して織編されている導電性織編地は、導電性繊維のみで織編されているものであっても、導電性繊維と非導電性の補強繊維とを使用して織編されているものであっても良い。非導電性の補強繊維としては、羊毛、木綿、絹、麻などの天然繊維、アクリル系繊維、ポリアミド系繊維、ポリエステル系繊維、ポリプロピレン系繊維、セルロース系再生繊維などを、特に限定なく使用することができる。また、非導電性の補強繊維として、ポリウレタン弾性糸など弾性に富んだ繊維を使用すれば、靴下を伸縮性に富んだものとすることができ、好適である。
【００１９】
靴下１は、図２に示すように、足指部１０、足部２０、及び踵部３０において足裏に当接する足裏部ＳＬの全体が、導電性織編地で形成されているものとすることができる。図２では、ハッチング部分が導電性織編地であり、以降の図でも同様である。足裏は、人が歩行する際や立ち姿勢を取る際に常に接地面に接触する部分であるため、足裏を被覆している足裏部ＳＬの全体が導電性織編地とすることにより、衣服や人体に蓄積した静電気を、足を介して効率よく接地面に逃がすことができる。
【００２０】
靴下１は、図３に示すように、踵部３０の全体が導電性織編地で形成されているものとすることができる。踵部３０は、足裏に当接する足裏部ＳＬを含んでいる。踵は、人が歩行するときに最初に着地する部分であり、着地の際に荷重がかかることにより、しっかりと接地面と接触する。そのため、この部分を導電性織編地で形成することにより、衣服や人体に蓄積した静電気を、足を介して確実に接地面に逃がすことができる。
【００２１】
靴下１は、図４に示すように、母趾球ｂ１から小趾球ｂ５に至る部分を被覆する帯状の前帯部２５が、導電性織編地で形成されているものとすることができる。母趾球ｂ１は、図１（ｂ）に示すように、第一指の付け根の膨らんだ部分であり、小趾球ｂ５は第五指の付け根の膨らんだ部分である。本実施形態では、前帯部２５を、足裏から足甲を周回する輪状としている。靴下１は筒状に製造されることが一般的であるため、導電性織編地で形成される前帯部２５を輪状とすることにより、他の部分に使用する繊維と異なる導電性繊維を使用して行う前帯部２５の製造が行い易い。
【００２２】
母趾球ｂ１から小趾球ｂ５に至る部分は、人が歩行するときに蹴り出すように離地する部分であり、離地の際に荷重がかかることにより、しっかりと接地面と接触する。そのため、この部分を導電性織編地で形成することにより、衣服や人体に蓄積した静電気を、足を介して確実に接地面に逃がすことができる。
【００２３】
靴下１は、図５に示すように、足指部１０が五本の指部１１，１２，１３，１４，１５からなり、そのうち第一指を被覆する第一指部１１が導電性織編地で形成されているものとすることができる。第一指部１１は、足裏に当接する足裏部ＳＬを含んでいる。足指部１０が複数の指部に分かれた靴下１を履くと、各指に力が入り易く、歩行するときに蹴り出すように離地する際、母趾球ｂ１と共に第一指にも荷重がかかる。そのため、足指部１０のうち少なくとも第一指部１１を導電性織編地で形成することにより、衣服や人体に蓄積した静電気を、足を介して確実に接地面に逃がすことができる。
【００２４】
なお、第一指部１１に加えて、他の指部１２，１３，１４，１５の全部または一部を導電性織編地で形成することもできる。
【００２５】
上記では、足裏部ＳＬの一部が導電性織編地で形成されている靴下１として、それぞれ踵部３０、前帯部２５、第一指部１１が導電性織編地で形成されているものを例示したが、導電性織編地で形成されている部分を複数備える構成としても良い。
【００２６】
例えば、図６（ａ）に示すように、踵部３０と前帯部２５とが導電性織編地で形成されているもの、図６（ｂ）に示すように、踵部３０と第一指部１１とが導電性織編地で形成されているもの、図６（ｃ）に示すように、踵部３０、前帯部２５、及び第一指部１１の何れも導電性織編地で形成されているもの、を例示することができる。これらの構成では、人が歩行するとき、着地の際に荷重がかかる部分と、離地の際に荷重がかかる部分との双方が導電性織編地で形成されているため、衣服や人体に蓄積した静電気を、足を介してより確実に接地面に逃がすことができる。
【００２７】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００２８】
例えば、上記では、複数の指部を備える靴下として、足指部が五本の指部からなるものを例示したが、これに限定されず、第一指を被覆する第一指部と、他の四本の指を被覆する指部との二つに足指部が分かれたタイプの靴下に、本考案を適用することができる。
【００２９】
また、足部において人の足の土踏まずに相当する部分を含み、かつ足裏から足甲を周回する輪状の中帯部が、導電性織編地で形成されている構成の靴下とすることもできる。土踏まずは接地面に接触しにくい部分であるが、足裏から足甲を周回する輪状とすることにより、母趾球と踵とを結ぶ内側の縦アーチと小趾球と踵とを結ぶ外側の縦アーチの双方を被覆する部分を中帯部が含むこととなる。内側の縦アーチと外側の縦アーチは、何れも人が歩行する際に接地面に接触する部分であるため、これらを被覆する部分を導電性織編地で形成することにより、衣服や人体に蓄積した静電気を、足を介して効率よく接地面に逃がすことができる。
【符号の説明】
【００３０】
１  靴下
１０  足指部
１１第一指部
２０  足部
２５  前帯部
３０  踵部
４０  脚部
ＳＬ  足裏部
ｂ１  母趾球
ｂ５  小趾球
【図１】
0003220157.tif 000003
【図２】
0003220157.tif 000004
【図３】
0003220157.tif 000005
【図４】
0003220157.tif 000006
【図５】
0003220157.tif 000007
【図６】
0003220157.tif 000008